(57)【要約】      （修正有）【課題】落下強度の低下を極力低く抑えるとともに、より開封のし易い易開封性包装袋を提供することである。【解決手段】袋本体１１の開封領域が、袋本体１１の少なくとも一方の端縁から引裂き誘導弱め線１３と補助引裂き誘導弱め線１４を形成した第１開封領域１５と、該引裂き誘導弱め線１３を開封方向へ延長して形成した第２開封領域１６とから成り、該第１開封領域１５に、袋本体１１の端縁から引裂きを容易にする加工が施された易開封開始領域１２を形成する。【選択図】図１
2014088185.tif 000002
【特許請求の範囲】
【請求項１】
袋本体の開封領域が、前記袋本体の少なくとも一方の端縁から引裂き誘導弱め線と補助引裂き誘導線を形成した第１開封領域と、前記第１開封領域から開封方向へ延長した引裂き誘導弱め線を形成した第２開封領域とからなり、
前記第１開封領域に、前記袋本体の端縁から引裂きを容易にする加工が施された易開封開始領域が形成された易開封性包装袋。
【請求項２】
前記第１開封領域が、前記易開封開始領域よりも大きい、請求項１記載の易開封性包装袋。
【請求項３】
前記第１開封領域に複数配列形成された前記引裂き誘導弱め線および前記補助引裂き誘導弱め線の形成密度が、前記第２開封領域に複数配列形成された前記引裂き誘導弱め線の形成密度よりも高い請求項１または２記載の易開封性包装袋。
【請求項４】
前記第１開封領域の開封方向の長さが、前記第２開封領域の開封方向の長さよりも短い請求項１乃至３のいずれかに記載の易開封性包装袋。
【請求項５】
前記第１開封領域の開封方向の長さが、前記開封領域にあるシール部の開封方向の長さの１倍から６倍である請求項１乃至４のいずれかに記載の易開封性包装袋。
【請求項６】
前記補助引裂き誘導弱め線が、前記引裂き誘導弱め線に合流している請求項１乃至５のいずれかに記載の易開封性包装袋。
【請求項７】
前記易開封開始領域に複数の切込みが形成された請求項１乃至６のいずれかに記載の易開封性包装袋。
【発明の詳細な説明】
【技術分野】
【０００１】
本発明は、袋本体に引裂き誘導弱め線が形成され、該引裂き誘導弱め線に誘導されて容易に引裂くことのできる易開封性包装袋に関する。
【背景技術】
【０００２】
従来、合成樹脂製の袋本体を引裂き易くすることにより容易に開封することができるようにしたパウチ等の包装袋（易開封性包装袋）が種々提案されている（特許文献１、特許文献２、特許文献３参照）。この種の易開封性包装袋では、袋本体の縁端部に切込みや傷痕群を形成したり、それら切欠きや傷痕群から更に他端部に向けて延びる線状に弱化させた引裂き誘導弱め線を形成したりして、前記切欠きや傷痕群から容易に引裂くことができ、更に、前記切欠き等からの引裂きが前記引裂き誘導弱め線によって誘導されるようにしている。これにより、容易に開封することができる。
【先行技術文献】
【特許文献】
【０００３】
【特許文献１】特開２０１１−６１０７号公報
【特許文献２】特開２００３−６３５３７号公報
【特許文献３】特開２００１−４８１９６号公報
【発明の概要】
【発明が解決しようとする課題】
【０００４】
上述したような易開封性の包装袋では、切欠き等から開始された引裂きが、引裂き誘導弱め線に沿って行われない場合には、袋本体を容易に開封することができない。そこで、より確実に、かつ容易に開封が行われるようにするために、引裂き誘導弱め線の数を多くすることが考えられる。しかしながら、この引裂き誘導弱め線は、袋本体の素材（合成樹脂シート）を線状に弱化させることにより形成されるので、多くの引裂き誘導弱め線を形成すると、当該包装袋の落下強度の低下につながる。
【０００５】
本発明は、このような事情に鑑みてなされたもので、落下強度の低下を極力低く抑えるとともに、より開封のし易い易開封性包装袋を提供するものである。
【課題を解決するための手段】
【０００６】
本発明に係る易開封性包装袋は、袋本体の開封領域が、前記袋本体の少なくとも一方の端縁から引裂き誘導弱め線と補助引裂き誘導線を形成した第１開封領域と、該引裂き誘導弱め線を開封方向へ延長して形成した第２開封領域とからなり、前記第１開封領域には、前記袋本体の端縁から引裂きを容易にする加工が施された易開封開始領域が形成された構成となる。
【０００７】
このような構成により、第１開封領域に形成される引裂き誘導弱め線および補助引裂き誘導弱め線を合わせた本数が第２開封領域に形成される引裂き誘導弱め線の本数より多いので、易開封開始領域から開始される袋本体の引裂きが、易開封開始領域から第１開封領域の引裂き誘導弱め線および補助引裂き誘導弱め線のいずれかに誘導される。また、第２開封領域における引裂き誘導弱め線の本数が前記第１開封領域における引裂き誘導弱め線および補助引出誘導弱め線の総本数より少なくても、第１開封領域における引き裂きは、第１開封領域の引裂き誘導弱め線または補助引裂き誘導弱め線から第２開封領域の引裂き誘導弱め線に誘導されるので、確実に第２開封領域の引裂きが行われる。
【０００８】
本発明に係る易開封性包装袋において、前記第１開封領域が、前記易開封開始領域よりも大きい構成とすることができる。
【０００９】
また、本発明に係る易開封性包装袋において、第１開封領域に複数配列形成された引裂き誘導弱め線および補助引裂き誘導弱め線の形成密度が、第２開封領域に複数配列形成された前記引裂き誘導弱め線の形成密度よりも高い構成とすることができる。
【００１０】
また、本発明に係る易開封性包装袋において、前記第１開封領域の開封方向の長さが、前記第２開封領域の開封方向の長さより短い構成とすることができる。
【００１１】
また、本発明に係る易開封性包装袋において、前記第１開封領域の開封方向の長さが、前記開封領域の端縁のシール部の長さの１倍から６倍である構成とすることができる。
【００１２】
更に、本発明に係る易開封性包装袋において、前記補助引裂き誘導弱め線が、引裂き誘導弱め線に合流している構成とすることができる。
【００１３】
また、本発明に係る易開封性包装袋において、前記易開封開始領域に、複数の切込みが形成された構成とすることができる。
【発明の効果】
【００１４】
本発明に係る易開封性包装袋によれば、第２開封領域に形成される引裂き誘導弱め線の本数が第１開封領域に形成される引裂き誘導弱め線および補助引裂き誘導弱め線を合わせた本数より少ないので、落下強度の低下を極力低く抑えることができる。そして、易開封開始領域が第１開封領域内に含まれており、かつ前記した第１開封領域の引裂き誘導弱め線および補助引裂き誘導弱め線を合わせた本数が、第２開封領域に形成される引裂き誘導弱め線の本数より多いため、易開封開始領域から袋本体が引裂かれ始めると、その引裂きは、前記易開封開始領域から第１開封領域の引裂き誘導弱め線および補助引裂き誘導弱め線のいずれかに誘導される。よって、第２開封領域の引裂き誘導弱め線の本数が少なくても、前記第１開封領域におけるその引裂きが、第１開封領域の引裂き誘導弱め線または補助引裂き誘導弱め線から第２開封領域の引裂き誘導弱め線に移るので、確実に第２開封領域の引裂きが行われる。従って、本発明に係る易開封性包装袋は、落下強度の低下が極力低く抑えられるとともに、より開封がし易いものとなる。
【図面の簡単な説明】
【００１５】
【図１】本発明の実施の一形態に係る易開封性包装袋を示す平面図である。
【図２】図１に示す易開封性包装袋が開封されるべき領域を拡大して示す拡大平面図である。
【図３】図１に示す易開封性包装袋の開封の引裂きの第１例を示す図である。
【図４】図１に示す易開封性包装袋の開封の引裂きの第２例を示す図である。
【図５】図１に示す易開封性包装袋の開封の引裂きの第３例を示す図である。
【図６】図１に示す易開封性包装袋の開封の引裂きの第４例を示す図である。
【図７】図１に示す易開封性包装袋の開封の引裂きの第５例を示す図である。
【図８】図１に示す易開封性包装袋の他の形態を示す平面図である。
【図９】本発明の実施の他の形態に係る易開封包装袋を示す平面図である。
【発明を実施するための形態】
【００１６】
本発明の実施の形態に係る易開封性包装袋について、図面を用いて説明する。
【００１７】
本発明の実施の一形態に係る易開封性包装袋を、図１に基づいて詳細に説明する。
【００１８】
図１において、易開封性包装袋（パウチ）１０の袋本体１１は、長方形の２枚のプラスチックシートの３周辺部を加熱圧着して形成された左シール部１０１、下シール部１０２及び右シール部１０３により閉鎖され、上端部１０４が開放した袋状となっている。このような状態の袋本体１１の上端部１０４から所定距離離れた左端縁ＥＤＧＬから右端縁ＥＤＧＲの開封領域の開封方向Ａに、当該左端縁ＥＤＧＬから当該右端縁ＥＤＧＲまで延び、縦方向Ｂに等間隔で配列された５本（複数）の引裂き誘導弱め線１３１、１３２、１３３、１３４、１３５が形成されている。なお、これら５本の引裂き誘導弱め線の総称として「引裂き誘導弱め線」を用いる場合には、参照番号１３を用いる。
【００１９】
また、図１とともに図２に拡大して示すように、左端縁ＥＤＧＬから前記開封方向Ａにおける所定位置Ｐｂが第１開封領域１５であり、所定位置Ｐｂから右端縁ＥＤＧＲまでが第２開封領域１６である。そして、引裂き誘導弱め線１３１と１３２との間には、左端縁ＥＤＧＬから直線的に延び、左シール部１０１を越えて湾曲しつつ未シール部１０５内に延びて、前記開封方向Ａにおける所定位置Ｐｂで引裂き誘導弱め線１３２に合流して終端する補助引裂き誘導弱め線１４１が形成され、引裂き誘導弱め線１３２と１３３との間には、同様に、左端縁ＥＤＧＬから直線的に延び、左シール部１０１を越えて湾曲しつつ未シール部１０５内に延びて前記所定位置Ｐｂで引裂き誘導弱め線１３３に合流して終端する補助引裂き誘導弱め線１４２が形成されている。更に、引裂き誘導弱め線１３３と１３４との間には、同様に、左端縁ＥＤＧＬから直線的に延び、左シール部１０１を越えて湾曲しつつ未シール部１０５内に延びて前記所定位置Ｐｂで引裂き誘導弱め線１３３に合流して終端する補助引裂き誘導弱め線１４３が形成され、引裂き誘導弱め線１３４と１３５との間には、同様に、左端縁ＥＤＧＬから直線的に延び、左シール部１０１を越えて湾曲しつつ未シール部１０５内に延びて前記所定位置Ｐｂで引裂き誘導弱め線１３４に合流して終端する補助引裂き誘導弱め線１４４が形成されている。なお、これら４本の、第１開封領域１５内に形成された補助引裂き誘導弱め線の総称として「補助引裂き誘導弱め線」を用いる場合には参照番号１４を用いる。
【００２０】
なお、上述した引裂き誘導弱め線１３及び補助引出誘導弱め線１４は、公知の手法、例えば、レーザ光線によってプラスチックシートの表層に溝を形成して当該プラスチックシートを線状に弱化させることにより形成することができる。また、引裂き誘導弱め線１３及び補助引裂き誘導弱め線１４は、袋本体１１を構成する２枚のプラスチックシートの双方に合致するように形成されている。
【００２１】
また、袋本体１１は、レーザ加工によって切裂き誘導弱め線１３及び補助引裂き誘導弱め線１４を形成することを考慮すると、少なくともレーザ吸収層及びヒートシール層の２層を含む層構造であることが好ましい。例えば、炭酸ガスレーザによる加工を行う場合、袋本体１１は、ＮＹ／ＬＬＤＰＥ（ポリアミド／線状低密度ポリエチレン）の層構造とすることができる。さらに、好適には、落下強度の低下を軽減させるという観点から、袋本体１１は、金属箔層（例えば、アルミニウム箔層）が含まれるようにすること、具体的には、ＰＥＴ／ＡＬ／ＮＹ／ＰＰ（ポリエチレンテレフタレート／アルミニウム箔／ポリアミド／ポリプロピレン）の層構造とすることもできる。
【００２２】
上述したように袋本体１１の開封領域である左端縁ＥＤＧＬと右端縁ＥＤＧＲとの間に、当該左端縁ＥＤＧＬから当該右端縁ＥＤＧＲまで延びる５本の引裂き誘導弱め線１３１、１３２、１３３、１３４、１３５と、左端縁ＥＤＧＬから開封方向Ａにおける所定位置Ｐｂまで延びる４本の補助引裂き誘導弱め線１４１、１４２、１４３、１４４とが形成されることにより、袋本体１１の左端縁ＥＤＧＬから所定位置Ｐｂまでの第１開封領域１５に形成される実質的な引裂き誘導弱め線の本数は、引裂き誘導弱め線１３及び補助引裂き誘導弱め線１４の合計９本となる。一方、前記所定位置Ｐｂから右端縁ＥＤＧＲまでの第２開封領域１６に形成される実質的な引裂き誘導弱め線の本数は、引裂き誘導弱め線１３だけの５本となる。よって、第１開封領域１５の実質的な引裂き誘導弱め線の本数が、第２開封領域１６の実質的な引裂き誘導弱め線の本数よりも多い。その結果、引裂き誘導弱め線１３及び補助引裂き誘導弱め線１４が形成される縦方向Ｂの開封領域長さＨ１にわたって配列される第１開封領域１５での引裂き誘導弱め線１３及び補助引裂き誘導弱め線１４の形成密度も、同様に縦方向Ｂの開封領域長さＨ１にわたって配列される第２開封領域１６での引裂き誘導弱め線（引裂き誘導弱め線１３だけ）の形成密度より高くなる。
【００２３】
第１開封領域１５の左シール部１０１内には、袋本体１１の左端縁ＥＤＧＬからの引裂きを容易にさせる加工（切欠き、傷痕等）が施された易開封開始領域１２が、その縦方向Ｂの長さＨ２が第１開封領域１５の引裂き誘導弱め線１３及び補助引裂き誘導弱め線１４が形成される縦方向Ｂの開封領域長さＨ１の範囲内に位置するように形成されている。この易開封開始領域１２には、例えば、複数の切込みが形成されている（例えば、特許文献１参照）。これらの切込みは、引裂き誘導弱め線１３、または、補助引裂き誘導弱め線１４上に形成されるのが好ましい。なお、各図面において、易開封開始領域１２内の引裂き誘導弱め線１３、補助引裂き誘導弱め線１４は、切込みを見やすくするため図示していないが、易開封開始領域１２内の切込み上にも存在している。この易開封開始領域１２は、左シール部１０１の開封方向Ａの長さ（例えば、５ｍｍ程度）より小さい当該開封方向Ａの長さＷ（例えば、２ｍｍ程度）と、第１開封領域Ｅ１の縦方向Ｂの長さＨ１（例えば、８ｍｍ程度）より小さい当該縦方向Ｂの長さＨ２（例えば、４ｍｍ程度）との矩形状の領域となっている。
【００２４】
上述したように引裂き誘導弱め線１３、補助引裂き誘導弱め線１４及び易開封開始領域１２が形成された袋本体１１に開放された上端部１０４側から内容物を充填した後に、その上端部１０４側の周辺部が加熱圧着されて上シール部１０６が形成され、袋本体１１が密封される。この状態で、内容物が密封された易開封性包装袋１０となる。
【００２５】
上述した構造の易開封性包装袋１０の寸法は、例えば、次のように設定し得る。
袋本体１１のサイズ：１７０ｍｍ×１００ｍｍ
各シール部１０１〜１０３，１０６の長さ：５ｍｍ
第１開封領域１５の開封方向Ａの長さＥ１（所定位置Ｐｂ）：２０．５ｍｍ（５ｍｍ〜３０ｍｍ）
第２開封領域１６の開封方向Ａの長さＥ２：７９．５ｍｍ［１００ｍｍ−２０．５ｍｍ］
第１開封領域１５及び第２開封領域１６の縦方向Ｂの長さＨ１：８ｍｍ（４ｍｍ〜１２ｍｍ）
易開封開始領域１２の開封方向Ａの長さＷ：２．０５ｍｍ（０．４ｍｍ〜７ｍｍ）
易開封開始領域１２の縦方向Ｂの長さＨ２：４ｍｍ（２ｍｍ〜６ｍｍ）
補助引裂き誘導弱め線１４の湾曲部分の曲率Ｒ：１２０ｍｍ
引裂き誘導弱め線１３の配列間隔：２ｍｍ（１ｍｍ〜３ｍｍ）
引裂き誘導弱め線１３と補助引裂き誘導弱め線１４（直線部分）との間隔：１ｍｍ（０．５ｍｍ〜１．５ｍｍ）
【００２６】
上述したように密封された袋本体１１（易開封性包装袋１０）は、次のようにして開封することができる。
【００２７】
図３は第１例を示し、易開封開始領域１２の略中央に位置する左端縁ＥＤＧＬの切込みから引裂き誘導弱め線１３の延びる方向Ｓ１に袋本体１１の引裂きが開始される場合、その引裂きは、易開封開始領域１２から続いて当該引裂さかれる部分の近傍にある第１開封領域１５の中央に位置した引裂き誘導弱め線１３３に誘導される。そして、第１開封領域１５において引裂き誘導弱め線１３３に誘導されつつ引裂きが行われると、その引裂きは、そのまま第２開封領域１６においてもその中央の引裂き誘導弱め線１３３に誘導されて行われ、袋本体１１の右端縁ＥＤＧＲに達し、袋本体１１が開封される。このように、易開封開始領域１２の略中央に位置する左縁端ＥＤＧＬの切込みから引裂き誘導弱め線１３の延びる方向Ｓ１に袋本体１１の引裂きが開始されると、袋本体１１は、一般的には、図３において破線Ｌ１で示すように、第１開封領域１５及びそれに続く第２開封領域１６において中央の引裂き誘導弱め線１３３に誘導されつつ引裂きが行われる。
【００２８】
また、図４は第２例を示し、易開封開始領域１２の中央から僅かに上側に位置する左端縁ＥＤＧＬの切込みから引裂き誘導弱め線１３の延びる方向Ｓ１に袋本体１１の引裂きが開始される場合、その引裂きは、易開封開始領域１２から続いて当該引裂かれる部分の近傍にある第１開封領域１５の中央から、僅かに上側に位置する補助引裂き誘導弱め線１４２に誘導されて行なわれる。そして、第１開封領域１５において、中央の僅かに上側に位置する補助引裂き誘導弱め線１４２に誘導されつつ引裂きが行われると、その引裂きは、第２開封領域１６では前記補助引裂き誘導弱め線１４２が合流する引裂き誘導弱め線１３３に移り、その引裂き誘導弱め線１３３に誘導されつつ引裂きが行われる。第２開封領域１６において、引裂き誘導弱め線１３３に誘導され行われる引裂きが右端縁ＥＤＧＲに達し、袋本体１１が開封される。このように、易開封開始領域１２の中央から僅かに上側に位置する左縁端ＥＤＧＬの切込みから、引裂き誘導弱め線１３の延びる方向Ｓ１に袋本体１１の引裂きが開始されると、袋本体１１は、一般的には、図４において破線Ｌ２で示すように、第１開封領域１５の中央から僅かに上側に位置する補助引裂き誘導弱め線１４２、更に、その補助引裂き誘導弱め線１４２が合流する第２開封領域１６の中央に位置する引裂き誘導弱め線１３３に誘導されつつ引裂が行われる。
【００２９】
また、図５は第３例を示し、易開封開始領域１２の上端に位置する左端縁ＥＤＧＬの切込みから、上シール部１０６に向かう斜め上方向Ｓ２に袋本体１１の引裂きが開始される場合、その引裂きは、易開封開始領域１２から続いて引裂き誘導弱め線１３２を外れて第１開封領域１５の引裂き誘導弱め線１３や補助引裂き誘導弱め線１４の形成されていない僅かな部分を前記斜め上方向Ｓ２に通り、更に、その引裂かれる部分の近傍にある第１開封領域１５の最上位の補助引裂き誘導弱め線１４１に誘導されて行なわれる。そして、第１開封領域１５において補助引裂き誘導弱め線１４１に誘導されつつ引裂きが行われると、その引裂きは、第２開封領域１６では前記補助引裂き誘導弱め線１４１が合流する引裂き誘導弱め線１３２に移り、その引裂き誘導弱め線１３２に誘導されつつ引裂きが行われる。第２開封領域１６において引裂き誘導弱め線１３２に誘導されて行われる引裂きが右端縁ＥＤＧＲに達し、袋本体１１が開封される。このように、左端縁ＥＤＧＬの易開封開始領域１２の切込みから斜め方向に袋本体１１の引裂きが開始されると、その引裂きは、第１開封領域１５の引裂き誘導弱め線１３及び補助引裂き誘導弱め線１４から外れて弱め線の形成されていない僅かな部分を通ることがあるが、第１開封領域１５では引裂き誘導弱め線及び補助引裂き誘導弱め線を合わせた本数が多く、その形成密度が高いため、いずれ近傍の引裂き誘導弱め線１３または補助引裂き誘導弱め線１４に合流する。この例では、破線Ｌ３で示すように、最初に補助引裂き誘導弱め線１４１に合流して引裂かれ、更に、その補助引裂き誘導弱め線１４１が合流する第２開封領域１６の引裂き誘導弱め線１３２に誘導されて引裂が行われる。
【００３０】
また、図６は第４例を示し、左端縁ＥＤＧＬの易開封開始領域１２の切込みから斜め下方向に袋本体１１の引裂きが開始されると、図５に示す場合とその引裂きの方向が異なってはいても、第１開封領域１５での引裂き誘導弱め線１３及び補助引裂き誘導弱め線１４を合わせた本数が多く、その形成密度が高いことから、袋本体１１は、破線Ｌ４で示すように、最初に補助引裂き誘導弱め線１４４に合流して引裂かれ、更に、その補助引裂き誘導弱め線１４４が合流する第２領域Ｅ２の引裂き誘導弱め線１３４に誘導されて引裂が行われる。
【００３１】
更に、図７は第５例を示し、易開封開始領域１２の上端に位置する左端縁ＥＤＧＬの切込みから図５に示す斜め上方向Ｓ２より更に急な斜め上方向Ｓ４に、より大きな力で袋本体１１の引裂きが開始される場合、その引裂きは、易開封開始領域１２から続いて引裂き誘導弱め線１３２を外れて第１開封領域１５の引裂き誘導弱め線１３や補助引裂き誘導弱め線１４の形成されていない部分を通りつつ、最上位の補助引裂き誘導弱め線１４１を横断して第１開封領域１５の最上位の引裂き誘導弱め線１３１に達する。そして、第１開封領域１５において、最上位の引裂き誘導弱め線１３１に誘導されつつ引裂きが行われ、その引裂きは、そのまま第２開封領域１６においても最上位の引裂き誘導弱め線１３１に誘導され、袋本体１１の右端縁ＥＤＧＲに達し、袋本体１１が開封される。このように、左端縁ＥＤＧＬの易開封開始領域１２の切込みから比較的急な斜め方向に、より大きな力で袋本体１１の引裂きが開始されると、その引裂きは、第１開封領域１５の引裂き誘導弱め線１３及び補助引裂き誘導弱め線１４の形成されていない部分を通りつつ近傍にある弱め線を横断してしまうこともあるが、近傍の弱め線により斜め方向の引裂きの勢いが弱められて開封方向Ａ側に誘導され易くなる。そして、その引裂きは、第１開封領域１５では弱め線１３及び補助引裂き誘導弱め線１４を合わせた本数が多く、その形成密度が高いため、次の近傍にある引裂き誘導弱め線１３または補助引裂き誘導弱め線１４に合流する。この例では、破線Ｌ５で示すように、最初に補助引裂き誘導弱め線１４１で斜め方向の引裂きの勢いが弱められた後、最上位の引裂き誘導弱め線１３１に合流して引裂きが行われる。
【００３２】
上述したような易開封性包装袋１０では、第１開封領域１５に形成される引裂き誘導弱め線（引裂き誘導弱め線１３及び補助引裂き誘導弱め線１４）の実質的な本数が第２開封領域１６に形成される引裂き誘導弱め線１３の本数より多いので、あるいは、第１開封領域１５に形成される引裂き誘導弱め線（引裂き誘導弱め線１３及び補助引裂き誘導弱め線１４）の形成密度が第２開封領域１６に形成される引裂き誘導弱め線１３の形成密度より高いので、易開封開始領域１２から開始される袋本体１１の引裂きが、当該易開封開始領域１２から第１開封領域１５の引裂き誘導弱め線（引裂き誘導弱め線１３及び補助引裂き誘導弱め線１４）のいずれかに誘導され易い（図３〜図７参照）。また、第２開封領域１６における引裂き誘導弱め線１３の本数が第１開封領域１５における引裂き誘導弱め線（引裂き誘導弱め線１３及び補助引裂き誘導弱め線１４）の本数より少なくても、あるいは、第２開封領域１６における引裂き誘導弱め線１３の形成密度が第１開封領域１５における引裂き誘導弱め線（引裂き誘導弱め線１３及び補助引裂き誘導弱め線１４）の形成密度より小さくても、第１開封領域１５における引裂きが、第１開封領域１５の引裂き誘導弱め線１３または補助引裂き誘導弱め線１４から第２開封領域１６の引裂き誘導弱め線１３に誘導されるので、第１開封領域１５から確実に第２開封領域１６まで引裂きが行われる。
【００３３】
このように、第２開封領域１６に形成される引裂き誘導弱め線１３の本数が第１開封領域１５に形成される引裂き誘導弱め線（引裂き誘導弱め線１３及び補助引裂き誘導弱め線１４）の本数より少ないので、あるいは、第２開封領域１６に形成される引裂き誘導弱め線１３の形成密度が第１開封領域１５に形成される引裂き誘導弱め線（引裂き誘導弱め線１３及び補助引裂き誘導弱め線１４）の形成密度より低いので、袋本体１１全体における引裂き誘導弱め線による弱化を極力抑えることができ、結果として、易開封性包装袋１０の落下強度の低下を極力低く抑えることができる。そして、易開封開始領域１２から袋本体１１が引裂かれ始めると、その引裂きは、その易開封開始領域１２から続いて第１開封領域１５に形成される引裂き誘導弱め線（引裂き誘導弱め線１３及び補助引裂き誘導弱め線１４）のいずれかに誘導され易く、また、第２開封領域１６の引裂き誘導弱め線１３の本数が比較的少なくても、その引裂きは、第１開封領域１５の引裂き誘導弱め線１３または補助引裂き誘導弱め線１４から確実に第２開封領域１６の引裂き誘導弱め線１３に移って、当該第２開封領域１６まで引裂きが行われる。従って、前述した構造の易開封性包装袋１０は、落下強度の低下が極力低く抑えられるとともに、より開封がし易いものとなる。
【００３４】
また、第１開封領域１５の引裂き誘導弱め領域の開封方向Ａの長さＥ１及び縦方向Ｂの長さＨ１が、易開封開始領域１２の開封方向Ａの長さＷ及び縦方向Ｂの長さＨ２よりどちらも大きいので、加工時の位置が決め易く加工が行い易い。また、第１開封領域１５の複数の引裂き誘導弱め線１３１〜１３５の形成位置が縦方向Ｂで多少ずれていても、易開封開始領域１２が第１開封領域１５に含まれた状態を確実に維持することができる。さらに、図５、図６及び図７に示すように、易開封開始領域１２の端部（上端または下端）に位置する左端縁ＥＤＧＬの切欠きから斜め方向（斜め上方向Ｓ２、Ｓ４、斜め下方向Ｓ３）に袋本体１１の引裂きが開始されても、その切裂きは、確実に第１開封領域１５の引裂き誘導弱め線１３または補助引裂き誘導弱め線１４に続き行われる。
【００３５】
また、引裂き誘導弱め線および補助引裂き誘導弱め線を合わせた本数の多い第１開封領域１５の開封方向Ａの長さＥ１が引裂き誘導弱め線の本数の少ない第２開封領域１６の開封向Ａの長さＥ２より短いので、引裂き誘導弱め線により弱化される領域をできるだけ狭く抑えることができ、結果として、包装袋の落下強度の低下をより抑えることができる。
【００３６】
また、引裂き誘導弱め線および補助引裂き誘導弱め線を合わせた本数の多い第１開封領域１５の開封方向Ａの長さＥ１が、開封領域のシール部の開封方向の長さの１倍から６倍であるのが好ましい。第１開封領域の開封方向Aの長さE1が長すぎると、引裂き誘導弱め線により弱化される領域が大きくなり、袋本体１１の落下強度が低下する。また、第１開封領域の開封方向Aの長さE1がシール部より短いと、引裂きが斜め方向に開始された場合、開封方向への誘導する力が少なく、引裂き誘導弱め線を形成した開封領域を外れやすくなり、開封性が低下するおそれがある。
【００３７】
また、第１開封領域１５に形成される補助引裂き誘導弱め線１４が、第１開封領域１５から第２開封領域１６にわたって延びる引裂き誘導弱め線１３に合流しているので、簡易開封開始領域１２から開始された袋本体１１の引裂きが、第１開封領域１５に形成された補助引裂き誘導弱め線１４に移ると、その補助引裂き誘導弱め線１４に誘導されていく引裂きが、確実に第２開封領域１６における合流先の引裂き誘導弱め線１３に移ってその引裂き誘導弱め線１３に誘導されて引裂きが行われる。
【００３８】
なお、前述した易開封性包装袋１０では、補助引裂き誘導弱め線１４が、引裂き誘導弱め線１３に合流していたが、これに限らず、引裂き誘導弱め線１３に合流することなく、例えば、引裂き誘導弱め線１３に向かって終端するものであってもよい。また、全ての補助引裂き誘導弱め線１４ではなく、一部（一又は複数）の補助引裂き誘導弱め線１４だけが引裂き誘導弱め線１３に合流するものであってもよい。更に、第１開封領域１５において、引裂き誘導弱め線１３と補助引裂き誘導弱め線１４とが交互に配列されるものでなく、部分的に、引裂き誘導弱め線１３が連続的に配列され、あるいは、補助引裂き誘導弱め線１４が連続的に配列されるものであってもよい。また、引裂き誘導弱め線１３の数は、補助引裂き誘導弱め線１４の数より多くなっているが、これに限らず、補助引裂き誘導弱め線１４の数と同じであっても、また少なくてもよい。
【００３９】
第２開封領域１６は、所定位置Ｐｂから右端縁ＥＤＧＲまでの領域であったが、これに限らず、所定位置Ｐｂから右端縁ＥＤＧＲに達する手前の位置までの領域であってもよい。この場合、第２開封領域１６の引裂き誘導弱め線１３に誘導される引裂きは、第２開封領域１６以降は、引裂き誘導弱め線１３に誘導されることなく、右端縁ＥＤＧＲまでなされる。また他に、図８に示すように、左端縁ＥＤＲＬ側に設けられた第１開封領域１５ａ、補助引裂き誘導弱め線１４ａ及び易開封開始領域１２ａに加えて、右端縁ＥＤＧＲ側にも第１開封領域１５ｂを設け、補助引裂き誘導弱め線１４ｂや、易開封開始領域１２ｂ（切込み）を右端縁ＥＤＧＲ側から設けて、左右両側から易開封性包装袋の引裂きを可能にしてもよい。なお、この場合、左端縁ＥＤＲＬ側に設けられた第１開封領域１５ａの開封方向Ａの長さＥ１ａと、右端縁ＥＤＲＲ側に設けられた第１開封領域１５ｂの開封方向Ａの長さＥ１ｂとは、同じであっても異なっていてもよい。ただし、易開封性包装袋の落下強度の低下をなるべく低く抑えるという観点からは、それらの長さＥ１ａ、Ｅ１ｂの和（Ｅ１ａ＋Ｅ１ｂ）が第２開封領域１６の開封方向Ａの長さＥ２より短いことが好ましい。
【００４０】
また、前述した易開封性包装袋１０では、袋本体１１の左端縁ＥＤＧＬと右端縁ＥＤＧＲとの間の開封領域に、易開封開始領域１２、引裂き誘導弱め線１３及び補助引裂き誘導弱め線１４が形成されているが、これに限らず、例えば、図９に示すように、袋本体１１の左端縁ＥＤＧＬと上端縁ＥＤＧＵとの間の開封領域に、易開封開始領域１２、引裂き誘導弱め線１３及び補助引裂き誘導弱め線１４が形成されるものであってもよい。この場合、袋本体１１の左端縁ＥＤＧＬと上端縁ＥＤＧＵとの間に、左端縁ＥＤＧＬから上端縁ＥＤＧＵに向かう開封方向Ａに延び、開封方向Ａを横切る方向Ｂに配列された複数の引裂き誘導弱め線１３が形成される。そして、左端縁ＥＤＧＬから開封方向Ａにおける所定位置Ｐｂまでの第１開封領域１５に補助引裂き誘導弱め線１４が形成されることにより、第１開封領域１５での引裂き誘導弱め線（引裂き誘導弱め線１３及び補助引裂き誘導弱め線１４）の本数が、前記所定位置Ｐｂから上端縁ＥＤＧＵまでの第２開封領域１６での引裂き誘導弱め線１３の本数より多くなっている。また、第１開封領域１５に、袋本体１１の左端縁ＥＤＧＬからの引裂きを容易にさせる加工が施された易開封開始領域１２が形成される。
【００４１】
前述した易開封性包装袋１０では、引裂き誘導弱め線１３は直線であったが、これに限られず、曲線であっても、直線と曲線とが連続するものであってよい。また、補助引裂き誘導弱め線１４の形状も、前述したように直線部分と円弧状部分とが連続したものに限定されない。
【００４２】
また、易開封開始領域１２において、引裂き誘導弱め線１３及び補助引裂き誘導弱め線１４を省略してもよい。
【産業上の利用可能性】
【００４３】
以上、説明したように、本発明に係る易開封性包装袋は、落下強度の低下を極力低く抑えるとともに、より開封がし易いという効果を有し、袋本体に引裂き誘導弱め線が形成され、該引裂き誘導弱め線に誘導されて容易に引裂くことのできる易開封性包装袋として有用である。
【符号の説明】
【００４４】
１０  易開封性包装袋
１１  袋本体
１２  易開封開始領域
１３（１３１、１３２、１３３、１３４、１３５）  引裂き誘導弱め線
１４（１４１、１４２、１４３、１４４）  補助引裂き誘導弱め線
１５  第１開封領域
１６  第２開封領域
１０１  左シール部
１０２  下シール部
１０３  右シール部
１０４  上端部
１０５  未シール部
１０６  上シール部
【図１】
2014088185.tif 000003
【図２】
2014088185.tif 000004
【図３】
2014088185.tif 000005
【図４】
2014088185.tif 000006
【図５】
2014088185.tif 000007
【図６】
2014088185.tif 000008
【図７】
2014088185.tif 000009
【図８】
2014088185.tif 000010
【図９】
2014088185.tif 000011
【手続補正書】
【提出日】平成24年11月6日(2012.11.6)
【手続補正１】
【補正対象書類名】特許請求の範囲
【補正対象項目名】請求項１
【補正方法】変更
【補正の内容】
【請求項１】
袋本体の開封領域が、前記袋本体の少なくとも一方の端縁から引裂き誘導弱め線と補助引裂き誘導弱め線を形成した第１開封領域と、前記第１開封領域から開封方向へ延長した引裂き誘導弱め線を形成した第２開封領域とからなり、
前記第１開封領域に、前記袋本体の端縁から引裂きを容易にする加工が施された易開封開始領域が形成された易開封性包装袋。
【手続補正２】
【補正対象書類名】明細書
【補正対象項目名】０００６
【補正方法】変更
【補正の内容】
【０００６】
本発明に係る易開封性包装袋は、袋本体の開封領域が、前記袋本体の少なくとも一方の端縁から引裂き誘導弱め線と補助引裂き誘導弱め線を形成した第１開封領域と、該引裂き誘導弱め線を開封方向へ延長して形成した第２開封領域とからなり、前記第１開封領域には、前記袋本体の端縁から引裂きを容易にする加工が施された易開封開始領域が形成された構成となる。